(57)【要約】【課題】  発光素子の発光時間を短くして消費電力を抑制することができると共に、外部光の影響を受けずに、鍵を長い時間に亘って良好に光らせることができる鍵盤装置を提供する。【解決手段】  鍵盤シャーシ上に発光素子３０を複数の鍵２にそれぞれ対応させて設け、この複数の鍵２に、発光素子３０からの光を受光して光エネルギとして蓄え、この蓄えた光エネルギによって発光する蓄光層３３を設けると共に、この蓄光層３３に対する発光素子３０と反対側に位置する鍵２の箇所に、発光素子３０および蓄光層３３で発光した光を透過し、且つ鍵２にその外部から照射された外部光をその照射方向に向けて反射する再帰反射層３４を設けた。従って、発光素子３０の発光時間を短くして消費電力を抑制することができると共に、外部光の影響を受けずに、鍵２を長い時間に亘って良好に光らせることができる。【選択図】        図１
2012002843.tif 000002
【特許請求の範囲】
【請求項１】
鍵盤シャーシと、
この鍵盤シャーシ上に並列に配列された状態で上下方向に回転可能に設けられた複数の鍵と、
前記鍵盤シャーシ上に前記複数の鍵にそれぞれ対応して設けられ、この複数の鍵にその下側から光をそれぞれ照射する発光素子と、
前記複数の鍵にそれぞれ設けられ、前記発光素子からの光を受光して光エネルギとして蓄え、この蓄えた前記光エネルギによって発光する蓄光層と、
この蓄光層に対する前記発光素子と反対側に位置する箇所の前記複数の鍵にそれぞれ設けられ、前記発光素子および前記蓄光層で発光した光を透過し、且つ前記複数の鍵にその外部から照射された外部光をその照射方向に向けて反射する再帰反射層と、
を備えていることを特徴とする鍵盤装置。
【請求項２】
前記再帰反射層は、光透過性を有すると共に、前記鍵にその外部から照射された外部光をその照射方向に向けて反射する多数の再帰プリズムを平面上に配列させた構成であることを特徴とする請求項１に記載の鍵盤装置。
【請求項３】
前記再帰反射層は、光透過性を有するシートの一面に前記多数の再帰プリズムを配列させた状態で一体に形成したことを特徴とする請求項２に記載の鍵盤装置。
【請求項４】
前記複数の鍵は光透過性を有する合成樹脂からなり、前記再帰反射層は、前記複数の鍵それぞれに前記多数の再帰プリズムを配列させた状態で一体に形成したことを特徴とする請求項２に記載の鍵盤装置。
【請求項５】
前記鍵は、光透過性を有する合成樹脂からなる外側鍵と、この外側鍵の内面に設けられた内側鍵とを有し、前記再帰反射層は、前記外側鍵と前記内側鍵との間に介在され、前記蓄光層は、前記内側鍵に設けられていることを特徴とする請求項１〜請求項４のいずれかに記載の鍵盤装置。
【請求項６】
前記蓄光層は、前記内側鍵に蓄光剤を混入させた構成であることを特徴とする請求項５に記載の鍵盤装置。
【発明の詳細な説明】
【技術分野】
【０００１】
この発明は、電子ピアノや電子オルガンなどの電子鍵盤楽器に用いられる鍵盤装置に関し、更に詳しく演奏に応じて各鍵が光る鍵盤装置に関する。
【背景技術】
【０００２】
従来、電子ピアノなどの鍵盤装置においては、特許文献１に記載されているように、鍵盤シャーシ上に複数の鍵を並列に配列させた状態で上下方向に回転可能に設けると共に、この鍵盤シャーシ上に各鍵の内部に光を照射させるための複数の発光素子を各鍵にそれぞれ対応させて設け、この複数の発光素子を順次発光させることにより、演奏に応じて押鍵すべき鍵を光らせて指示するナビゲーション機能を備えたものが知られている。
【先行技術文献】
【特許文献】
【０００３】
【特許文献１】特開２００１−３４２６８号公報
【発明の概要】
【発明が解決しようとする課題】
【０００４】
しかしながら、このような従来の鍵盤装置は、複数の発光素子を順次発光させることにより、演奏に応じて押鍵すべき鍵を光らせる際に、その押鍵すべき鍵が押鍵される前から発光素子を発光させると共に、鍵が押鍵されて再び初期位置に戻るまでの間に亘って発光素子を発光させる必要があるため、発光素子の発光時間が長く、消費電力が多くなるという問題がある。
【０００５】
この発明が解決しようとする課題は、発光素子の発光時間を短くして消費電力を抑制することができると共に、外部光の影響を受けずに、鍵を長い時間に亘って良好に光らせることができる鍵盤装置を提供することである。
【課題を解決するための手段】
【０００６】
この発明は、上記課題を解決するために、次のような構成要素を備えている。
請求項１に記載の発明は、鍵盤シャーシと、この鍵盤シャーシ上に並列に配列された状態で上下方向に回転可能に設けられた複数の鍵と、前記鍵盤シャーシ上に前記複数の鍵にそれぞれ対応して設けられ、この複数の鍵にその下側から光をそれぞれ照射する発光素子と、前記複数の鍵にそれぞれ設けられ、前記発光素子からの光を受光して光エネルギとして蓄え、この蓄えた前記光エネルギによって発光する蓄光層と、この蓄光層に対する前記発光素子と反対側に位置する箇所の前記複数の鍵にそれぞれ設けられ、前記発光素子および前記蓄光層で発光した光を透過し、且つ前記複数の鍵にその外部から照射された外部光をその照射方向に向けて反射する再帰反射層と、を備えていることを特徴とする鍵盤装置である。
【０００７】
請求項２に記載の発明は、前記再帰反射層が、光透過性を有すると共に、前記鍵にその外部から照射された外部光をその照射方向に向けて反射する多数の再帰プリズムを平面上に配列させた構成であることを特徴とする請求項１に記載の鍵盤装置である。
【０００８】
請求項３に記載の発明は、前記再帰反射層が、光透過性を有するシートの一面に前記多数の再帰プリズムを配列させた状態で一体に形成したことを特徴とする請求項２に記載の鍵盤装置である。
【０００９】
請求項４に記載の発明は、前記複数の鍵が光透過性を有する合成樹脂からなり、前記再帰反射層は、前記複数の鍵それぞれに前記多数の再帰プリズムを配列させた状態で一体に形成したことを特徴とする請求項２に記載の鍵盤装置である。
【００１０】
請求項５に記載の発明は、前記鍵が、光透過性を有する合成樹脂からなる外側鍵と、この外側鍵の内面に設けられた内側鍵とを有し、前記再帰反射層は、前記外側鍵と前記内側鍵との間に介在され、前記蓄光層は、前記内側鍵に設けられていることを特徴とする請求項１〜請求項４のいずれかに記載の鍵盤装置である。
【００１１】
請求項６に記載の発明は、前記蓄光層が、前記内側鍵に蓄光剤を混入させた構成であることを特徴とする請求項５に記載の鍵盤装置である。
【発明の効果】
【００１２】
この発明によれば、押鍵すべき鍵に対応する発光素子を発光させると、その光が蓄光層に照射され、この照射された光を蓄光層で光エネルギとして蓄え、この蓄えた光エネルギによって蓄光層が発光し、この蓄光層で発光した光が再帰反射層を透過して押鍵すべき鍵を光らせることができる。このため、押鍵すべき鍵に対応する発光素子を発光させる際に、その発光時間を短くしても、蓄光層によって十分に長い時間に亘って鍵を光らせることができるので、発光素子による消費電力を抑制することができる。
【００１３】
また、押鍵すべき鍵に対応する発光素子を発光させる際に、鍵の外部から光が押鍵すべき鍵に照射されても、その外部光を蓄光層が受光しないように再帰反射層によって反射することができる。このため、蓄光層が外部光の影響を受けずに、押鍵すべき鍵に対応する発光素子と蓄光層とで発光した光のみによって鍵を良好に光らせて、押鍵すべき鍵を確実に指示することができる。これにより、発光素子の発光時間を短くして消費電力を抑制することができると共に、外部光の影響を受けずに、鍵を長い時間に亘って良好に光らせることができる。
【図面の簡単な説明】
【００１４】
【図１】この発明を電子鍵盤楽器に適用した実施形態１における断面図である。
【図２】図１に示された電子鍵盤楽器における鍵を上下反転させた状態で、鍵の一部を破断して示した要部の拡大斜視図である。
【図３】図１に示された鍵のＡ−Ａ矢視における要部の拡大断面図である。
【図４】図３に示された鍵を分解して示した要部の拡大断面図である。
【図５】図２に示された鍵の再帰反射シートの要部を示した拡大平面図である。
【図６】図５に示された再帰反射シートにおける再帰プリズムを示し、（ａ）はその再帰プリズムの拡大平面図、（ｂ）はその再帰プリズムの拡大斜視図である。
【図７】図１に示された電子鍵盤楽器において発光素子と蓄光層とによって鍵が光る際における光の強さと発光時間との特性を示した図である。
【図８】この発明を電子鍵盤楽器に適用した実施形態２において、鍵を上下反転させた状態で、鍵の一部を破断して示した要部の拡大斜視図である。
【図９】図８に示された鍵を上下反転させて示した要部の拡大断面図である。
【図１０】この発明を電子鍵盤楽器に適用した実施形態３において、鍵を上下反転させた状態で、鍵の一部を破断して示した要部の拡大斜視図である。
【図１１】図１０に示された鍵を上下反転させて示した要部の拡大断面図である。
【図１２】実施形態３における鍵の第１変形例を示した要部の拡大断面図である。
【図１３】実施形態１〜３に記載された蓄光層を円形状に形成した第２変形例における鍵の要部を示した拡大斜視図である。
【図１４】実施形態１〜３に記載された蓄光層を「ＨＩＴ：ヒット」などのマーク部として形成した第３変形例における鍵の要部を示した拡大斜視図である。
【発明を実施するための形態】
【００１５】
（実施形態１）
以下、図１〜図７を参照して、この発明を電子鍵盤楽器に適用した実施形態１について説明する。
この電子鍵盤楽器は、図１に示すように、合成樹脂製の鍵盤シャーシ１と、この鍵盤シャーシ１上に並列に配列されて上下方向にそれぞれ回転可能に取り付けられた複数の鍵２（図１では１つのみを示す）と、この複数の鍵２にその押鍵動作に応じてそれぞれアクション荷重を付与する複数のハンマー部材３と、複数の鍵２の押鍵動作に応じてそれぞれオン信号を出力するスイッチ部４と、鍵盤シャーシ１の後端部に設けられて鍵２の後端部の上側を覆う上部ケース５とを備えている。
【００１６】
鍵盤シャーシ１は、図１に示すように、楽器本体の下部ケースを構成するものであり、その前端部（図１では右端部）には、前脚部６が底部から上方に突出して形成されている。この前脚部６の前端部（図１では右端部）には、鍵２の前端面に対応する前カバー部７が前部上方（図１では右側上方）に向けて更に突出して形成されている。また、この前脚部６の上部には、鍵２の横振れを防ぐための鍵ガイド部６ａが上方に突出して設けられている。
【００１７】
さらに、この鍵盤シャーシ１の前脚部６の後部側（図１では左側）には、図１に示すように、後述する素子基板８を搭載する第１基板搭載部９が前脚部６よりも少し高く形成されている。この第１基板搭載部９の後部側（図１では左側）に位置する鍵盤シャーシ１の箇所には、後述する複数のハンマー部材３を支持するハンマー支持部１０が形成されている。
【００１８】
また、このハンマー支持部１０の後部側（図１では左側）に位置する鍵盤シャーシ１の箇所には、図１に示すように、立上り部１１が第１基板搭載部９とほぼ同じ高さで形成されている。この立上り部１１には、複数のハンマー部材３の後部（図１では左側部）が鍵盤シャーシ１の前側から後側に向けて挿入する開口部１１ａが設けられている。
【００１９】
この立上り部１１の上部における後部側（図１では右側）に位置する鍵盤シャーシ１の箇所には、図１に示すように、スイッチ部４を搭載する第２基板搭載部１２が形成されている。この第２基板搭載部１２の上面には、スイッチ部４が取り付けられている。また、鍵盤シャーシ１の後部、つまり第２基板搭載部１２の後部側（図２では左側部）には、複数の鍵２を支持する鍵搭載部１３が前カバー部７とほぼ同じ高さで形成されている。
【００２０】
さらに、鍵盤シャーシ１の鍵搭載部１３の後端部（図１では左端部）には、図１に示すように、鍵盤シャーシ１の後端部を支持する後脚部１４が、鍵盤シャーシ１の上部から底部に向けて垂下されている。なお、この後脚部１４の後端部には、上部ケース５が鍵盤シャーシ１の後端部側と鍵２の後端部側とを覆った状態で取り付けられている。この上部ケース５の内部には、楽音を放音するためのスピーカ１５が設けられている。また、この鍵盤シャーシ１の底部には、底板１６が設けられている。
【００２１】
一方、鍵２は、白鍵と黒鍵とを有している。ただし、この実施形態１では白鍵のみついて説明する。この鍵２は、図１に示すように、その後部が鍵盤シャーシ１の鍵搭載部１３に設けられた鍵支持部１７の支持軸１８に上下方向に回転可能に取り付けられた構成になっている。この鍵２における前後方向のほぼ中間部には、鍵盤シャーシ１の第２基板搭載部１２上に取り付けられたスイッチ部４を押圧するためのスイッチ押圧部２０が下側に突出して形成されている。
【００２２】
この場合、スイッチ部４は、図１に示すように、スイッチ基板２１と、このスイッチ基板２１上に配置されたゴムシート２２を備えている。このゴムシート２２には、ドーム状の膨出部が鍵２の各スイッチ押圧部２０にそれぞれ対応して形成されている。このスイッチ部４は、ゴムシート２２の膨出部が各鍵２の各スイッチ押圧部２０によって押圧された際に、膨出部が弾性変形して、その内部の可動接点がスイッチ基板２１の固定接点（いずれも図示せず）に接触してオン信号を出力するように構成されている。
【００２３】
また、この鍵２における前端部とスイッチ押圧部２０との間には、図１に示すように、ハンマー部材３を上下方向に回転させるためのハンマー押圧部２３が下側に突出して形成されている。ハンマー部材３は、その後部に錘部２４ａを有するハンマー本体２４と、このハンマー本体２４の上部における両側面（図１では紙面の表裏面）にそれぞれ突出して形成された軸受け部２５と、ハンマー本体２４の上部から斜め前側上方（図１では右上側）に突出して形成された鍵当接部２６とを備えている。
【００２４】
このハンマー部材３は、図１に示すように、ハンマー本体２４の後部（図１では左側部）が鍵盤シャーシ１の前側上方から立上り部１１の開口部１１ａに挿入され、この状態でハンマー本体２４の上部に形成された軸受け部２５が、鍵盤シャーシ１のハンマー支持部１０の軸部１０ａに上下方向に回転自在に取り付けられることにより、ハンマー本体２４の前側上部の鍵当接部２６が、鍵盤シャーシ１のハンマー支持部１０の前側上方（図１では右側上方）に位置するように構成されている。
【００２５】
この場合、ハンマー部材３は、図１に示すように、鍵当接部２６が鍵２のハンマー押圧部２１に対応し、この鍵当接部２６が鍵２のハンマー押圧部２３に設けられた中空状の保持部２３ａ内に挿入されて摺動可能に保持され、この状態で鍵２が押鍵された際に、鍵当接部２６が鍵２のハンマー押圧部２３によって押し下げられることにより、ハンマー本体２４が軸部１０ａを中心に時計回りに回転するように構成される。
【００２６】
このため、ハンマー部材３は、図１に示すように、鍵２が押鍵されていない初期状態のときに、ハンマー本体２４がその自重で軸部１０ａを中心に反時計回りに回転し、ハンマー本体２４の後部が鍵盤シャーシ１の底板１６に設けられた下限ストッパ部２７に当接して、ハンマー本体２４が下限位置に規制されるように構成されている。これにより、ハンマー部材３は、鍵当接部２５が鍵２のハンマー押圧部２３を押し上げて、鍵２を上方に押し上げることにより、鍵２を上限位置に規制するように構成されている。
【００２７】
また、このハンマー部材３は、鍵２が押鍵された際に、鍵２のハンマー押圧部２３によって、ハンマー部材３の鍵当接部２６が押し下げられると、ハンマー本体２４がその自重に抗して軸部１０ａを中心に時計回りに回転して、鍵２にアクション荷重を付与すると共に、ハンマー本体２４の後部が、鍵盤シャーシ１の鍵搭載部１２の下面に設けられた上限ストッパ部２８に当接して、ハンマー本体２４が上限位置に規制されることにより、鍵２を下限位置に規制するように構成されている。
【００２８】
ところで、鍵盤シャーシ１の第１基板搭載部９上には、図１に示すように、素子基板８が搭載されている。この素子基板８は、鍵２の配列方向に沿って連続する帯状に形成されている。また、この素子基板８は、接続ケーブル２９によってスイッチ部４のスイッチ基板２１と電気的に接続されている。この素子基板８の上面には、図１に示すように、複数の発光素子３０が各鍵２にそれぞれ対応して配置されている。
【００２９】
この発光素子３０は、発光ダイオード（ＬＥＤ）からなり、図１に示すように、発光した光を鍵２の前側内部にその下側から照射するように構成されている。この場合、鍵２は、図１〜図４に示すように、その前側部、つまり鍵２の前端部（図１では右端部）からハンマー押圧部２３までの間に位置する前側の部分が、外側鍵３１と内側鍵３２との２層構造になっている。
【００３０】
外側鍵３１は、アクリル樹脂（ＰＭＭＡ）やスチロール樹脂（ポリスチレン：ＰＳ）などの透明な合成樹脂からなり、下側（図２では上側）に開放された中空状に形成されている。内側鍵３２は、スチロール樹脂（ポリスチレン：ＰＳ）などの乳白色の光透過性を有する合成樹脂からなり、外側鍵３１と同様、下側（図２では上側）に開放された中空状に形成され、外側鍵３１内に装着されるように構成されている。
【００３１】
この鍵２の内側鍵３２における内部には、図３および図４に示すように、蓄光層３３が設けられている。この蓄光層３３は、発光素子３０で発光した光を受光して光エネルギとして蓄え、この蓄えた光エネルギによって発光するものであり、塗料またはシールかなり、発光素子３０によって光が照射される箇所に位置する内側鍵３２の内部下面に設けられている。この場合、蓄光層３３は、光透過性を有するものであり、発光素子３０で発光した光の一部を受光して光エネルギとして蓄え、残りの光を透過するように構成されている。
【００３２】
また、外側鍵３１と内側鍵３２との間には、図１〜図４に示すように、再帰反射シート３４が鍵２の内面に沿って設けられている。この再帰反射シート３４は、発光素子３０および蓄光層３３で発光した光を透過すると共に、鍵２の外部から照射された外部光をその照射方向に向けて反射するものである。すなわち、この再帰反射シート３４は、図２〜図５に示すように、透明なシート本体３４ａに鍵２の外部から照射された外部光をその照射方向に向けて反射する多数の再帰プリズム３４ｂを平面的に配列した構成になっている。
【００３３】
この場合、再帰反射シート３４は、図２および図３に示すように、透明なシート本体３４ａが外側鍵３１の内部下面に対面し、多数の再帰プリズム３４ｂが内側鍵３２の外部上面に対面した状態で、外側鍵３１の内部下面にその前後方向におけるほぼ全長に亘って設けられている。この場合、再帰プリズム３４ｂは、図６（ａ）および図６（ｂ）に示すように、１つの辺が短いほぼ二等辺三角形の三角錐形状に形成されている。
【００３４】
この再帰プリズム３４ｂは、図６（ｂ）に示すように、外側鍵３１の外部（図６（ｂ）では下側）から光が透明なシート本体３４ａを透過して再帰プリズム３４ｂ内に入射すると、その入射した外部光を再帰プリズム３４ｂの３つの斜面によってその入射方向に向けてそれぞれ反射するように構成されている。
【００３５】
また、この再帰プリズム３４ｂは、発光素子３０および蓄光層３３で発光した光が再帰プリズム３４ｂの外面（図６（ｂ）では上側に位置する外表面）に照射されると、その照射光を再帰プリズム３４ｂの３つの斜面から屈折させて採り込み、この採り込んだ光を透過させて外側鍵３１に照射させることにより、鍵２を光らせるように構成されている。
【００３６】
この場合、再帰プリズム３４ｂは、図５および図６に示すように、ほぼ二等辺三角形の三角錐形状に形成された底面（図６（ｂ）では下面）における長さの短い辺同士を互いに接触または接近させて配置すると、２つの再帰プリズム３４ｂが平面的にほぼ菱形形状をなし、この菱形形状をなす２つの再帰プリズム３４ｂにおける底面の各長辺同士を互いに接触または接近させて縦横に多数配列させた構成になっている。
【００３７】
これにより、再帰反射シート３４は、発光素子３０および蓄光層３３で発光した光が再帰プリズム３４ｂの外面に照射されると、その照射された光を再帰プリズム３４ｂが採り込み、この採り込んだ光を外側鍵３１に向けて放出させることにより、鍵２を光らせる。また、この再帰反射シート３４は、鍵２の外部から光が外側鍵３１および透明なシート本体３４ａを透過して再帰プリズム３４ｂ内に入射すると、この再帰プリズム３４ｂの３つの斜面によって入射した外部光のほとんど（例えば９０％程度）をその入射方向に向けて反射するように構成されている。
【００３８】
このため、この再帰反射シート３４は、鍵２の外部から光が鍵２に照射されても、その照射された外部光を、蓄光層３３にほとんど到達させないように再帰反射させることにより、蓄光層３３が鍵２の外部からの光によって光エネルギを蓄えて発光しないように構成されている。
【００３９】
次に、このような電子鍵盤楽器の作用について説明する。
この電子鍵盤楽器で複数の鍵２を順次押鍵して演奏する場合には、その演奏に応じて押鍵すべき鍵２に対応する発光素子３０を順次発光させて、押鍵すべき鍵２を順次光らせる。このときには、発光素子３０で発光した光が鍵２の内側鍵３２内に設けられた蓄光層３３に照射され、この照射された光の一部が蓄光層３３に光エネルギとして蓄えられると共に、残りの一部の光が蓄光層３３を透過する。
【００４０】
この蓄光層３３を透過した光は、鍵２の内側鍵３２を透過して再帰反射シート３４に照射される。このときには、蓄光層３３を透過した光が再帰反射シート３４に形成された多数の再帰プリズム３４ｂの各外面に照射されるので、この照射された光が各再帰プリズム３４ｂおよび透明なシート本体３４ａを透過して外側鍵３１の内面に照射される。この照射された光によって、鍵２が光る。
【００４１】
また、このときには、発光素子３０で発光した光の一部を蓄光層３３が光エネルギとして蓄え、この蓄光層３３が蓄えた光エネルギによって発光する。このため、蓄光層３３で発光した光も、発光素子３０の光と同様、多数の再帰プリズム３４ｂの各外面に照射されるので、この照射された光が各再帰プリズム３４ｂおよび透明なシート本体３４ａを透過して外側鍵３１に照射される。これにより、押鍵すべき鍵２が発光素子３０と蓄光層３３とで発光した光によって光る。
【００４２】
この場合、発光素子３０は、図７に示すように、その発光時間Ｔ１が短く設定されている。例えば、発光素子３０は、押鍵すべき鍵２を光らせて押鍵すべき鍵２の指示を開始した状態から押鍵すべき鍵２が押鍵されるまでの短い時間Ｔ１だけ発光する。また、蓄光層３３は、発光素子３０が点灯している間の時間Ｔ１で光エネルギを蓄え、この蓄えた光エネルギによって発光する。この蓄光層３３の発光時間Ｔ２は、発光素子３０が点灯してから蓄光層３３による発光が減衰するまでの時間である。
【００４３】
すなわち、押鍵すべき鍵２に蓄光層３３が光を照射している光照射時間は、図７に示すように、発光素子３０が消灯してから蓄光層３３による発光が減衰するまでの時間（Ｔ２−Ｔ１）であり、この蓄光層３３による光照射時間（Ｔ２−Ｔ１）は、発光素子３０の発光時間Ｔ１よりも長く（Ｔ２―Ｔ１＞Ｔ１）なるように設定されている。
【００４４】
このため、演奏者は、押鍵すべき鍵２を発光素子３０による発光時間Ｔ１で光らせることにより、鍵２を押鍵する前に、事前に視認することができると共に、この押鍵すべき鍵２を押鍵する際に、発光素子３０が消灯しても、蓄光層３３が発光することにより、この蓄光層３３の発光による光照射時間（Ｔ２−Ｔ１）だけ、押鍵されている鍵２を光らせることができる。これにより、演奏者が初心者であっても、押鍵すべき鍵２を確認しながら、良好に演奏することができる。
【００４５】
また、演奏中にスポットライトなどの外部光が鍵２に照射されても、その外部光の影響を受けずに、押鍵すべき鍵２を視認することができる。すなわち、スポットライトなどの外部光が鍵２に照射されると、その外部光が鍵２の外側鍵３１を透過して、再帰反射シート３４の透明なシート本体３４ａに入射する。この入射した外部光は、透明なシート本体３４ａを透過して多数の再帰プリズム３４ｂ内に入射する。この入射した外部光は、再帰プリズム３４ｂによってその入射方向に向けて反射される。
【００４６】
このため、鍵２の外側鍵３１を透過した外部光は、鍵２の内側鍵３２にほとんど到達することがないので、蓄光層３３によって受光されることがない。すなわち、再帰反射シート３４は、入射した外部光のほとんど（約９０％）を各再帰プリズム３４ｂの３つの斜面によって、その入射方向に向けて反射するので、鍵２の外部からスポットライトなどの外部光が照射されても、その照射された外部光が蓄光層３３に到達することがない。
【００４７】
これにより、蓄光層３３は、外部光によって光エネルギを蓄えて発光することがなく、発光素子３０の光のみを受光して蓄えた光エネルギによって発光するので、鍵２の外部から照射されたスポットライトなどの外部光の影響を受けずに、発光素子３０と蓄光層３３とで発光した光のみによって押鍵すべき鍵２を正確に且つ良好に光らせて指示することができる。
【００４８】
このように、この電子鍵盤楽器によれば、鍵盤シャーシ１上に複数の発光素子３０を複数の鍵２にそれぞれ対応させて設けると共に、この複数の鍵２それぞれに、複数の発光素子３０からの光を受光して光エネルギとして蓄え、この蓄えた光エネルギによって発光する複数の蓄光層３３を設けた構成であるから、発光素子３０の発光時間Ｔ１を短くして、消費電力を抑制することができると共に、鍵２を長い時間Ｔ２に亘って良好に光らせることができる。
【００４９】
すなわち、押鍵すべき鍵２に対応する発光素子３０を発光させると、その光が蓄光層３３に照射され、この照射された光を蓄光層３３で光エネルギとして蓄え、この蓄えた光エネルギによって蓄光層３３が発光し、この蓄光層３３で発光した光が再帰反射シート３４を透過して押鍵すべき鍵２を光らせることができる。このため、押鍵すべき鍵２に対応する発光素子３０を発光させる際に、その発光時間Ｔ１を短くしても、蓄光層３３によって長い時間Ｔ２に亘って鍵２を光らせることができ、これにより発光素子３０による消費電力を抑制することができる。
【００５０】
また、この電子鍵盤楽器では、蓄光層３３に対する発光素子３０と反対側に位置する鍵２の箇所に、発光素子３０および蓄光層３３で発光した光を透過し、且つ複数の鍵２にその外部から照射された外部光をその照射方向に向けて反射する再帰反射シート３４が設けられていることにより、蓄光層３３が外部光の影響を受けることがなく、発光素子３０で発光した光のみを受光して光エネルギを蓄えることができるので、この蓄光層３３と発光素子３０とで発光した光のみによって鍵２を良好に光らせることができる。
【００５１】
すなわち、押鍵すべき鍵２に対応する発光素子３０を発光させる際に、鍵２の外部から光が押鍵すべき鍵２に照射されても、その外部光を蓄光層３３が受光しないように再帰反射シート３４によって反射することができる。このため、蓄光層３３が外部光の影響を受けずに、発光素子３０と蓄光層３３とで発光した光のみによって、押鍵すべき鍵２を良好に光らせて押鍵すべき鍵２を確実に指示することができる。これにより、発光素子３０の発光時間Ｔ１を短くして消費電力を抑制しても、外部光の影響を受けずに、鍵２を長い時間Ｔ２に亘って良好に光らせることができる。
【００５２】
この場合、再帰反射シート３４は、光透過性を有するシート本体３４ａと、このシート本体３４ａの上面に平面的に配列された多数の再帰プリズム３４ｂとを備え、この多数の再帰プリズム３４ｂが複数の鍵２にその外部から照射された外部光をその照射方向に向けて反射する構成であることにより、鍵２の外部から光が押鍵すべき鍵２に照射されて、再帰反射シート３４の透明なシート本体３４ａを透過して再帰プリズム３４ｂ内に入射すると、この入射した外部光を再帰プリズム３４ｂによってその入射方向に向けて反射することができる。
【００５３】
このため、鍵２の外側鍵３１に照射された外部光は、鍵２の内側鍵３２にほとんど到達することがなく、蓄光層３３によって受光されることがないので、鍵２の外部からスポットライトなどの外部光が照射されても、その照射された外部光によって蓄光層３３が影響を受けることがなく、発光素子３０で発光した光のみを受光して光エネルギを蓄えることができるので、この蓄光層３３と発光素子３０とで発光した光のみによって鍵２を良好に光らせることができる。
【００５４】
この場合、再帰反射シート３４は、光透過性を有するシート本体３４ａの上面に多数の再帰プリズム３４ｂを平面的に配列された構成であることにより、多数の再帰プリズム３４ｂを有していても、成形用金型によって簡単に且つ容易に製作することができると共に、再帰反射シート３４を鍵２の外側鍵３２と内側鍵３２との間に簡単に且つ容易に設置することができる。
【００５５】
また、この再帰反射シート３４は、本来、蓄光層３３に対応する部分のみに設けられていれば良いのであるが、鍵２の外側鍵３２と内側鍵３２との間に位置した状態で、外側鍵３１の内面にその前後方向におけるほぼ全長に亘って設けられていることにより、演奏中にスポットライトなどの外部光が各鍵２に照射された際に、その外部光を再帰反射シート３４によって照射方向に向けて反射させるので、外部光の反射光が演奏者に向けて照射されることない。
【００５６】
このため、スポットライトなどの外部光が演奏者の前方から照射されても、その外部光を演奏者の前方に向けて反射するので、演奏者が外部光の反射によって眩しくならないばかりか、発光素子３０および蓄光層３３で発光した光のみによって、光っている鍵２を良好に且つ確実に視認することができ、これによっても良好に演奏することができる。
【００５７】
さらに、この電子鍵盤楽器では、鍵２が外側鍵３１と内側鍵３２との２層構造に形成されているので、多数の再帰プリズム３４ｂを有する再帰反射シート３４を鍵２と別に形成しても、この再帰反射シート３４を外側鍵３１と内側鍵３２との間に容易に配置することができると共に、内側鍵３２の内面に蓄光層３３を簡単に設けることができ、これにより鍵２が蓄光層３３および再帰反射シート３４を備えていても、鍵２を容易に製作することができる。
【００５８】
なお、上述した実施形態１では、鍵２の内側鍵３２の内部下面に蓄光層３３を設けた場合について述べたが、必ずしも内側鍵３２の内部下面に蓄光層３３を設ける必要はなく、再帰反射シート３４が対面する内側鍵３２の外部上面に蓄光層３３を設けた構成であっても良い。このように構成しても、発光素子３０で発光した光が内側鍵３２を透過して蓄光層３３に照射されるので、実施形態１と同様の作用効果がある。
【００５９】
（実施形態２）
次に、図８および図９を参照して、この発明を電子鍵盤楽器に適用した実施形態２について説明する。なお、図１〜図７に示された実施形態１と同一部分には同一符号を付して説明する。
この電子鍵盤楽器は、蓄光層４０の構造が実施形態１と異なる構成であり、これ以外は実施形態１とほぼ同じ構成になっている。
【００６０】
すなわち、この蓄光層４０は、図８および図９に示すように、鍵２の内側鍵３２中に蓄光剤４１ａを混入させた構成になっている。この場合にも、鍵２は、実施形態１と同様、外側鍵３１と内側鍵３２とを備えている。外側鍵３１は、アクリル樹脂（ＰＭＭＡ）やスチロール樹脂（ポリスチレン：ＰＳ）などの透明な合成樹脂からなり、下側（図８では上側）に開放された中空状に形成されている。
【００６１】
内側鍵３２は、スチロール樹脂（ポリスチレン：ＰＳ）などの乳白色の光透過性を有する合成樹脂からなり、外側鍵３１と同様、下側（図８では上側）に開放された中空状に形成され、外側鍵３１内に設けられるように構成されている。この内側鍵３２は、その合成樹脂中に蓄光剤４１が混入されている。これにより、内側鍵３２は、それ自体が蓄光層４０として構成されている。
【００６２】
この内側鍵３２である蓄光層４０は、実施形態１と同様、発光素子３０で発光した光を受光して光エネルギとして蓄え、この蓄えた光エネルギによって発光するように構成されている。この場合にも、蓄光層４０は、光透過性を有するものであり、発光素子３０で発光した光の一部を受光して光エネルギとして蓄え、残りの光を透過するように構成されている。また、この内側鍵３２の内部下面には、実施形態１と同様、再帰反射シート３４が外側鍵３１と内側鍵３２との間に位置した状態で、鍵２の前後方向におけるほぼ全長に亘って設けられている。
【００６３】
この再帰反射シート３４も、実施形態１と同様、発光素子３０および蓄光層３３で発光した光を透過すると共に、鍵２の外部から照射された外部光をその照射方向に向けて反射するものである。すなわち、この再帰反射シート３４は、図２および図５に示したように、透明なシート本体３４ａに鍵２の外部から照射された外部光をその照射方向に向けて反射する多数の再帰プリズム３４ｂを平面的に配列した構成になっている。
【００６４】
このような電子鍵盤楽器によれば、実施形態１と同様、押鍵すべき鍵２に対応する発光素子３０を発光させると、その光が鍵２の内側鍵３２中に混入された蓄光層４０の蓄光剤４１に照射され、この照射された光を蓄光層４０の蓄光剤４１で光エネルギとして蓄え、この蓄えた光エネルギによって蓄光層４０の蓄光剤４１が発光し、この蓄光層４０で発光した光を押鍵すべき鍵２に照射させて鍵２を光らせることができる。このため、押鍵すべき鍵２に対応する発光素子３０を発光させる際に、実施形態１と同様、その発光時間Ｔ１を短くしても、蓄光層４０によって長い時間（Ｔ２）に亘って鍵２を光らせることができるので、発光素子３０による消費電力を抑制することができる。
【００６５】
また、押鍵すべき鍵２に対応する発光素子３０を発光させる際に、鍵２の外部から光が押鍵すべき鍵２に照射されても、その外部光を蓄光層４０が受光しないように再帰反射シート３４によって反射することができる。このため、蓄光層４０が外部光の影響をほとんど受けずに、発光素子３０で発光した光のみを受光して光エネルギを蓄えることができるので、この蓄光層４０と発光素子３０とで発光した光のみによって押鍵すべき鍵２を良好に光らせて確実に指示することができる。これにより、発光素子３０の発光時間Ｔ１を短くして消費電力を抑制しても、外部光の影響を受けずに、鍵２を長い時間Ｔ２に亘って良好に光らせることができる。
【００６６】
この場合、蓄光層４０は、鍵２の内側鍵３２中に蓄光剤４１を混入させた構成であるから、内側鍵３２の全体が蓄光層４０として機能するが、実際は発光素子３０の光が照射される領域が、内側鍵３２の内部下面に集中する。このため、鍵２には、実施形態１と同様、発光素子３０およびその光の照射領域に位置する箇所の蓄光層４０で発光した光が照射されるので、この照射された光によって鍵２の前部のみを良好に光らせることができる。
【００６７】
また、この場合にも、再帰反射シート３４は、鍵２の外側鍵３２と内側鍵３２との間に鍵２の前後方向におけるほぼ全長に亘って設けられていることにより、演奏中にスポットライトなどの外部光が各鍵２に照射された際に、その外部光を再帰反射シート３４によって照射方向に向けて反射させるので、外部光の反射光が演奏者に向けて照射されることない。このため、演奏者が外部光の反射によって眩しくならないばかりか、発光素子３０および蓄光層４０によって光っている鍵２を良好に且つ確実に視認することができ、これによっても良好に演奏することができる。
【００６８】
（実施形態３）
次に、図１０および図１１を参照して、この発明を電子鍵盤楽器に適用した実施形態３について説明する。この場合にも、図１〜図７に示された実施形態１と同一部分に同一符号を付して説明する。
この電子鍵盤楽器は、鍵２の内面に再帰反射層４５を一体に形成し、この再帰反射層４５の下側に蓄光層４６を設けた構成であり、これ以外は実施形態１とほぼ同じ構成になっている。
【００６９】
この場合、鍵２は、実施形態１と異なり、外側鍵３１と内側鍵３２とを有しない１層構造になっている。この鍵２は、実施形態１の内側鍵３２と同様、スチロール樹脂（ポリスチレン：ＰＳ）などの乳白色の光透過性を有する合成樹脂からなり、図１０および図１１に示すように、下側（図１０では上側）に開放された中空状に形成されている。
【００７０】
この鍵２の内面には、図１１に示すように、再帰反射層４５が一体に形成されている。この再帰反射層４５は、実施形態１と同様、鍵２の外部から照射された外部光をその照射方向に向けて反射する多数の再帰プリズム４５ａを平面的に配列した構成になっている。この再帰プリズム４５ａも、実施形態１と同様、１つの辺が短いほぼ二等辺三角形の三角錐形状に形成されている。
【００７１】
すなわち、再帰プリズム４５ａは、実施形態１と同様、鍵２の外部から光が鍵２を透過して入射すると、その入射した外部光を再帰プリズム３４ｂの３つの斜面によってその入射方向に向けてそれぞれ反射するように構成されている。また、この再帰プリズム４５ａは、発光素子３０および蓄光層４６で発光した光が再帰プリズム３４ｂの外面に照射されると、その照射光を再帰プリズム３４ｂの３つの斜面から屈折させて採り込み、この採り込んだ光を鍵２の外部に向けて放出させることにより、鍵２を光らせるように構成されている。
【００７２】
この場合にも、再帰プリズム４５ａは、実施形態１と同様、鍵２の外部から光が鍵２を透過して再帰プリズム４５ａ内に入射すると、その入射した外部光を再帰プリズム４５ａの３つの斜面によってその入射方向に向けてそれぞれ反射するように構成されている。また、この再帰プリズム４５ａは、その底面における長さの短い辺同士を互いに接触させて配置すると、２つの再帰プリズム４５ａが平面的に菱形形状をなし、この菱形形状をなす２つの再帰プリズム４５ａにおける底面の各辺同士を互いに接触させて縦横に多数配列させた構成になっている。
【００７３】
この再帰反射層４５の下面、つまり再帰プリズム４５ａの下側には、図１１に示すように、蓄光層４６が配置されている。この蓄光層４６は、樹脂シートに蓄光剤を塗布または混入させたものであり、鍵２の前側内部に位置する再帰反射層４５の下側、つまり発光素子３０によって光が照射される箇所に対応して配置されている。
【００７４】
この蓄光層４６は、実施形態１と同様、発光素子３０で発光した光を受光して光エネルギとして蓄え、この蓄えた光エネルギによって発光するように構成されている。この場合にも、蓄光層４６は、光透過性を有するものであり、発光素子３０で発光した光の一部を受光して光エネルギとして蓄え、残りの光を透過するように構成されている。
【００７５】
このような電子鍵盤楽器においても、実施形態１と同様、押鍵すべき鍵２に対応する発光素子３０を発光させると、その光が鍵２の内面に一体に形成された再帰反射層４５の下側に配置された蓄光層４６に照射され、この照射された光を蓄光層４６で光エネルギとして蓄え、この蓄えた光エネルギによって蓄光層４６が発光し、この蓄光層４６で発光した光が再帰反射層４５を透過することにより、押鍵すべき鍵２を光らせることができる。このため、押鍵すべき鍵２に対応する発光素子３０を発光させる際に、実施形態１と同様、その発光時間Ｔ１を短くしても、蓄光層４６によって長い時間Ｔ２に亘って鍵２を光らせることができるので、発光素子３０による消費電力を抑制することができる。
【００７６】
また、押鍵すべき鍵２に対応する発光素子３０を発光させる際に、鍵２の外部から光が押鍵すべき鍵２に照射されても、その外部光を蓄光層４６が受光しないように再帰反射層４５によって反射することができる。このため、蓄光層４６が外部光の影響を受けずに、発光素子３０で発光した光のみを受光して光エネルギとして蓄えることができるので、この蓄光層４６と発光素子３０とで発光した光のみによって押鍵すべき鍵２を良好に光らせて確実に指示することができる。これにより、発光素子３０の発光時間Ｔ１を短くして消費電力を抑制しても、外部光の影響を受けずに、鍵２を長い時間Ｔ２に亘って良好に光らせることができる。
【００７７】
この場合、再帰反射層４５は、鍵２の内部下面に一体に形成されていることにより、実施形態１、２のように鍵２を外側鍵３１と内側鍵３２との２層構造にする必要がなく、１層構造で良いので、鍵２の構造が簡単になるばかりか、鍵２を容易に製作することができると共に、鍵２の組立作業を簡素化することができ、これにより低価格な鍵盤楽器を提供することができる。
【００７８】
また、この電子鍵盤楽器においても、再帰反射層４５が鍵２の下面にその前後方向におけるほぼ全長に亘って一体に形成されていることにより、演奏中にスポットライトなどの外部光が各鍵２に照射された際に、その外部光を再帰反射層４５によって照射方向に向けて反射させることができるので、外部光の反射光が演奏者に向けて照射されることない。このため、演奏者が外部光の反射によって眩しくならないばかりか、発光素子３０および蓄光層４６で発光した光によって、光っている鍵２を良好に且つ確実に視認することができ、これによっても良好に演奏することができる。
【００７９】
なお、上述した実施形態３では、鍵２の内部下面に一体に形成された再帰反射層４５の下側に蓄光層４６が配置され、この蓄光層４６が樹脂シートに蓄光剤を塗布または混入させた場合について述べたが、これに限らず、例えば図１２に示す第１変形例のように、鍵２の内部下面に一体に形成された再帰反射層４５の下面、つまり再帰プリズム４５ａの外表面に蓄光剤を塗布して蓄光層５０を形成した構成でも良い。このように構成すれば、実施形態３と同様の作用効果があるほか、鍵２に蓄光層５０を容易に設けることができる。
【００８０】
また、上述した実施形態１〜３およびその変形例では、発光素子３０によって光が鍵２の内面に照射される光照射領域のほぼ全域に蓄光層３３、４０、４６を設けた場合について述べたが、これに限らず、例えば図１３に示す第２変形例のように、蓄光層５１を発光素子３０による光照射領域内の中心部に円形状に形成しても良く、また図１４に示す第３変形例のように、蓄光層５２を発光素子３０による光照射領域内に「ＨＩＴ：ヒット」などのマーク部として形成しても良い。
【００８１】
このように構成すれば、発光素子３０を点灯させた後に、発光素子３０を消灯させると、発光素子３０による光の照射領域内に蓄光層５１、５２によって円形状やマーク部などを浮き上がらせることができると共に、鍵２の光っている部分を変化させることができ、これにより演奏者の意識を引き付けることができる。このため、例えば第３変形例の蓄光層５２をＣ１、Ｄ３などの音高名が表示されるように形成すれば、押鍵すべき鍵２の音高名を光によって浮き上がらせて視認することができるので、教育用の鍵盤楽器として最適なものを提供することができる。
【００８２】
さらに、上述した実施形態１〜３およびその各変形例では、再帰反射シート３４または再帰反射層４５の各再帰プリズム３４ｂ、４５ａをほぼ二等辺三角形の三角錐形状に形成した場合について述べたが、これに限らず、例えば四角錐、六角錐などの多角錐形状に形成しても良く、またこれに限らず、断面が半円形、半楕円、半放物線などの曲面突起形状に形成して良い。
【符号の説明】
【００８３】
１  鍵盤シャーシ
２  鍵
３０  発光素子
３１  外側鍵
３２  内側鍵
３３、４０、４６、５０、５１、５２  蓄光層
３４  再帰反射シート
３４ａ  シート本体
３４ｂ、４５ａ  再帰プリズム
４１  蓄光剤
４５  再帰反射層
【図１】
2012002843.tif 000003
【図２】
2012002843.tif 000004
【図３】
2012002843.tif 000005
【図４】
2012002843.tif 000006
【図５】
2012002843.tif 000007
【図６】
2012002843.tif 000008
【図７】
2012002843.tif 000009
【図８】
2012002843.tif 000010
【図９】
2012002843.tif 000011
【図１０】
2012002843.tif 000012
【図１１】
2012002843.tif 000013
【図１２】
2012002843.tif 000014
【図１３】
2012002843.tif 000015
【図１４】
2012002843.tif 000016